(57)【特許請求の範囲】
【請求項１】
軸筒と、
前記軸筒の前方側に設けられた、ペン先及び当該ペン先に至るインキ連通孔を有するペン先支持部と、
前記軸筒内において、前記ペン先支持部の後方側に設けられたインキ吸入器と、
前記軸筒内において、前記ペン先支持部の後端部から軸方向後方に延出した槍部と、
を備え、
前記インキ吸入器は、
インキを収容するインキ収容部を軸方向前方に規定する筒形のインキタンクと、
前記インキ収容部の内周面に当該インキ収容部の軸方向に摺動可能且つ液密に嵌め込まれたフランジ部と、当該フランジ部から前記インキタンクの軸方向後方に向かって伸長するロッドと、を有するピストンと、
前記ピストンの前記フランジ部よりも軸方向前方において、前記インキ収容部の内部に固定され、前記槍部で貫通された状態となっている窓部を有する受け部材と、
前記インキ収容部の内部において、前記ピストンの前記フランジ部と前記受け部材との間に配置され、前記窓部を通過できない大きさを有し、前記窓部を貫通している前記槍部と当接可能な、少なくとも１つの移動体と、
を有している
ことを特徴とする筆記具。
【請求項２】
前記槍部は、切頭扇形の断面形状を有している
ことを特徴とする請求項１に記載の筆記具。
【請求項３】
前記受け部材は、前記インキ収容部の内径よりも小径であって当該インキ収容部の中心軸と同心且つ当該中心軸に垂直に配置されている円盤部と、前記円盤部を前記インキ収容部の内周面に固定している支持部材と、を有している
ことを特徴とする請求項１または２に記載の筆記具。
【請求項４】
前記支持部材は、前記インキ収容部の内周面に対する当該支持部材の固定部に対して、前記円盤部が軸方向前方に位置するような形状を有している
ことを特徴とする請求項３に記載の筆記具。
【請求項５】
前記支持部材は、前記インキ収容部の内周面上の対向する位置から当該インキ収容部の径方向内側に延びる１対の第１支持部と、前記１対の第１支持部の前記径方向内側の端部から前記インキ収容部の軸方向前方に延びる１対の第２支持部と、を有しており、
前記円盤部は、前記１対の第２支持部の前端部に固定されている
ことを特徴とする請求項４に記載の筆記具。
【請求項６】
前記少なくとも１つの移動体は、少なくとも２つの球である
ことを特徴とする請求項１乃至５のいずれかに記載の筆記具。
【請求項７】
前記少なくとも１つの移動体は、４つの球である
ことを特徴とする請求項１乃至５のいずれかに記載の筆記具。
【発明の詳細な説明】
【技術分野】
【０００１】
本発明は、軸筒と、この軸筒の前方側に設けられた、ペン先及び当該ペン先に至るインキ連通孔を有するペン先支持部と、軸筒内においてペン先支持部の後方側に設けられたインキ吸入器と、軸筒内においてペン先支持部の後端部から軸方向後方に延出した槍部と、を備えた筆記具に関する。
【背景技術】
【０００２】
図１４は、万年筆等に使用されている従来のインキ吸入器２００の概略縦断面図である。図１４に示すように、従来のインキ吸入器２００は、インキを収容するインキ収容部２１１ｃを軸方向前方に規定する筒形のインキタンク２１０と、インキ収容部２１１ｃの内周面に当該インキ収容部２１１ｃの軸方向に摺動可能且つ液密に嵌め込まれたフランジ部２２２と、当該フランジ部２２２からインキタンク２１０の軸方向後方に向かって伸長するロッド２２１と、を有するピストン２２０と、インキタンク２１０の軸方向後方に当該インキタンク２１０に対して回転可能に接続されたノブ２３０と、を備えている。ピストン２２０のロッド２２１の少なくとも一部の側面には、雄ネジ部２２３ｓが形成されており、ノブ２３０の少なくとも前方領域は、雌ネジ部２３０ｓを有する中空筒状であり、ロッド２２１の雄ネジ部２２３ｓとノブ２３０の雌ネジ部２３０ｓとが互いに螺合している。
【０００３】
インキタンク２１０の軸方向後方には、当該インキタンク２１０の外周よりも大径の筒形のカバー２５０の一側が接着固定されている。当該カバー２５０の他側は、ノブ２３０の軸方向前方の外周よりも大径となっており、当該カバー２５０の他側端には絞り部が設けられていて、ノブ２３０の外周に設けられたフランジの軸方向後方への移動を規制しつつ、当該カバー２５０に対して回転可能であるようにノブ２３０を支持している。
【０００４】
一般に、インキタンク２１０の軸方向後方への筒形のカバー２５０の一側の接着固定には、雄ネジ部と雌ネジ部とによる螺合（螺着）が併用され得る。通常、インキタンク２１０は透明樹脂製であり、ノブ２３０及びピストン２２０は有色樹脂製であり、カバー２５０は金属製である。
【０００５】
以上のようなインキ吸入器２００は、特許第４５９６６７５号公報（特許文献１）、特許第５３８８３６０号公報（特許文献２）及び特開２０１３−４３２８５号公報（特許文献３）などに開示されている。
【０００６】
以上のようなインキ吸入器２００にインキを吸入させるには、まず万年筆等のケーシングを取り外してインキ吸入器２００のノブ２３０を露出させる。そして、必要に応じて当該ノブ２３０を一方向（図１４のＡの方向）に回転操作して、ピストン２２０をインキ収容部２１１ｃの軸方向の最も前方に位置させる。次いで、万年筆等のペン先をインキ容器内のインキに浸し、その状態でノブ２３０を反対方向（図１４のＢの方向）に回転操作する。これに伴って、インキ収容部２１１ｃ内のピストン２２０は当該インキ収容部２１１ｃの軸方向後方へ移動する。これにより、インキ収容部２１１ｃ内に負圧が生じて、インキがインキ容器内からペン先を介してインキタンク２１０内に吸入される。
【０００７】
このようなインキ吸入器を有する万年筆等は、筆記が行われていない時にはペン先が上に向けられた状態で保管されている場合が多い。そして、紙面に筆記しようとする際にペン先が下に向けられた状態（筆記状態）へと姿勢変化させられる。この姿勢変化に伴って、インキ収容部内の軸方向後方に位置していたインキが、軸方向前方へと移動し、ペン先に供給される。この移動は、万年筆等の姿勢変化に伴って速やかに行われることが望ましいのであるが、ペン先が下に向けられた状態に姿勢変化されても、インキの表面張力によってインキがインキ収容部内の軸方向後方に位置したままである場合があった。この場合、インキがペン先に供給されないため、円滑な筆記を継続することができない。
【０００８】
このような問題に対処するため、特許第５７４４６７７号（特許文献４）では、インキ収容部内に軸方向に前後動可能な移動体（移動駒部材）を配置した万年筆が、提案されている。図１５は、特許文献４に記載されている万年筆３０１の軸方向前方の概略縦断面図である。図１５に示すように、前記移動体（移動駒部材３１２）は、万年筆３０１のペン先３２１が上に向けられた状態から下に向けられた状態へと姿勢変化された際に、インキの表面張力に打ち克ってインキ収容部（インキ収容体３０６）内を軸方向後方から軸方向前方へと移動し、ペン芯３２０の後端部から軸方向後方に延出している槍部（突起３２０ｂ）に当接するようになっている。この際、インキ収容体３０６内のインキも前記移動体（移動駒部材３１２）と共に移動するため、結果として、当該インキは、軸方向後方から軸方向前方へと速やかに移動し、突起３２０ｂを伝ってスムーズにペン先３２１に供給される。
【先行技術文献】
【特許文献】
【０００９】
【特許文献１】特許第４５９６６７５号公報
【特許文献２】特許第５３８８３６０号公報
【特許文献３】特開２０１３−４３２８５号公報
【特許文献４】特許第５７４４６７７号
【発明の概要】
【発明が解決しようとする課題】
【００１０】
特許文献４で採用されている移動体（移動駒部材３１２）は、筒形の形状であって、切削加工により製造されているため、製造コストが高い。
【００１１】
本発明は、以上のような問題に鑑みて創案されたものであり、ペン先が上に向けられた状態から下に向けられた状態へと姿勢変化された際に、インキ収容部内の軸方向後方に位置していたインキを軸方向前方まで速やかに移動させて確実に槍部に導くことができると共に、従来よりも低コストで製造が可能な筆記具を提供することを課題とする。
【課題を解決するための手段】
【００１２】
本発明は、軸筒と、前記軸筒の前方側に設けられた、ペン先及び当該ペン先に至るインキ連通孔を有するペン先支持部と、前記軸筒内において、前記ペン先支持部の後方側に設けられたインキ吸入器と、前記軸筒内において、前記ペン先支持部の後端部から軸方向後方に延出した槍部と、を備え、前記インキ吸入器は、インキを収容するインキ収容部を軸方向前方に規定する筒形のインキタンクと、前記インキ収容部の内周面に当該インキ収容部の軸方向に摺動可能且つ液密に嵌め込まれたフランジ部と、当該フランジ部から前記インキタンクの軸方向後方に向かって伸長するロッドと、を有するピストンと、前記ピストンの前記フランジ部よりも軸方向前方において、前記インキ収容部の内部に固定され、前記槍部で貫通された状態となっている窓部を有する受け部材と、前記インキ収容部の内部において、前記ピストンの前記フランジ部と前記受け部材との間に配置され、前記窓部を通過できない大きさであって且つ前記窓部を貫通している前記槍部と当接可能な大きさの少なくとも１つの移動体と、を有していることを特徴とする筆記具である。
【００１３】
本発明によれば、受け部材によって移動体の落下がより確実に防止されており、且つ、ペン先支持部の後端部から軸方向後方に延出している槍部が、受け部材に設けられた窓部を貫通しているため、軸方向前方の受け部材まで（あるいは受け部材近傍まで）移動した移動体と槍部とがより確実に当接し、結果としてインキをより確実に槍部に導くことができる。これにより、移動体として採用し得る形状の自由度が高められ、すなわち、従来のような筒形である必要が無く、球や多面体（立方体や四面体など）のような低コストで製造可能な形状の移動体を採用することができる。
【００１４】
好ましくは、前記槍部は、切頭扇形の断面形状を有している。この場合、受け部材の窓部も、当該槍部の断面形状に対応する形状を有していることが好ましい。この場合、移動体の形状の自由度が更に増す。
【００１５】
また、好ましくは、前記受け部材は、前記インキ収容部の内径よりも小径であって当該インキ収容部の中心軸と同心且つ当該中心軸に垂直に配置されている円盤部と、前記円盤部を前記インキ収容部の内周面に固定している支持部材と、を有している。
【００１６】
この場合、円盤部の周縁部とインキ収容部の内周面との間の隙間のうち、支持部材が存在していない領域を窓部とすることができる。このような受け部材の形状では、当該受け部材で受け止められる移動体が開口に（突出するように）効果的に案内されるため、移動体と槍部とがより確実に当接し、結果としてインキをより確実に槍部に導くことができる。
【００１７】
更に好ましくは、前記支持部材は、前記インキ収容部の内周面に対する当該支持部材の固定部に対して、前記円盤部が軸方向前方に位置するような形状を有している。具体的には、例えば、前記支持部材は、前記インキ収容部の内周面上の対向する位置から当該インキ収容部の径方向内側に延びる１対の第１支持部と、前記１対の第１支持部の前記径方向内側の端部から前記インキ収容部の軸方向前方に延びる１対の第２支持部と、を有しており、前記円盤部は、前記１対の第２支持部の前端部に固定されている。
【００１８】
この場合、インキ吸入器をペン先支持部に取り付ける際の、支持部材と槍部との干渉を回避することが容易である。
【００１９】
以上の発明において、移動体の形状は、球である。この場合、移動体が単純な形状であるため、当該移動体の、ひいては、筆記具の、製造コストを低減させることができる。
【００２０】
また、前記少なくとも１つの移動体は、少なくとも２つの球である。この場合、２つの球が相俟って移動体としての機能を担うので、インキの表面張力に打ち克つために必要とされる各１つの球の直径を低減させることができる。このことにより、各１つの球とインキ収容部の内周面との間に十分な空間が確保され、ペン先が上に向けられた状態から下に向けられた状態へと姿勢変化された際に、ペン先支持部内に存在していた空気が球に妨げられることなくスムーズにインキ収容部内へと上昇することができる。すなわち、ペン先支持部内に存在していた空気とインキとの交替がスムーズに行われ得る。
【００２１】
更に好ましくは、前記少なくとも１つの移動体は、４つの球である。この場合、インキの表面張力に打ち克つために必要とされる各１つの球の直径を一層低減させることができる。このことにより、球とインキ収容部の内周面との間に一層広い空間が確保され、ペン先が上に向けられた状態から下に向けられた状態へと姿勢変化された際に、ペン先支持部内に存在していた空気が球に妨げられることなく一層スムーズにインキ収容部内へと上昇することができる。すなわち、ペン先支持部内に存在していた空気とインキとの交替が一層スムーズに行われ得る。
【発明の効果】
【００２２】
本発明によれば、受け部材によって移動体の落下がより確実に防止されており、且つ、ペン先支持部の後端部から軸方向後方に延出している槍部が、受け部材に設けられた窓部を貫通しているため、軸方向前方の受け部材まで（あるいは受け部材近傍まで）移動した移動体と槍部とがより確実に当接し、結果としてインキをより確実に槍部に導くことができる。これにより、移動体として採用し得る形状の自由度が高められ、すなわち、従来のような筒形である必要が無く、球や多面体（立方体や四面体など）のような低コストで製造可能な形状の移動体を採用することができる。
【図面の簡単な説明】
【００２３】
【図１】本発明の一実施の形態の筆記具の概略縦断面図である。
【図２】図１の筆記具に使用されているインキ吸入器の概略縦断面図である。
【図３】ペン先が上に向けられた状態における図２のインキ吸入器の概略縦断面図である。
【図４】図３のＡ−Ａ線断面図である。
【図５】図２のインキ吸入器の受け部材の概略図である。図５（Ａ）は、受け部材の概略斜視図であり、図５（Ｂ）は、図５（Ａ）の受け部材を右手前方向から見た場合の概略縦断面図であり、図５（Ｃ）は、図５（Ａ）の受け部材を上方から見た図であり、部分的に断面図で示されている。
【図６】筆記状態における図２のインキ吸入器の概略縦断面図である。
【図７】２つの球が、図２のインキ吸入器の受け部材とインキ収容部の内周面との間にぴったりと嵌り込んでいる状態を示す模式図である。図７（Ａ）は、１対の第１支持部の側部とインキ収容部の内周面との間に２つの球がぴったりと嵌り込んだ状態を示しており、図７（Ｂ）は、１対の第１支持部の側部と環状部の前端部とインキ収容部の内周面との間に２つの球がぴったりと嵌り込んだ状態を示している。
【図８】図２のインキ吸入器のインキタンクの概略図である。図８（Ａ）は、インキタンクの概略縦断面図であり、図８（Ｂ）は、図８（Ａ）の右方向から見たインキタンクの概略正面図であり、図８（Ｃ）は、図８（Ａ）のＣ−Ｃ線断面図である。
【図９】図２のインキ吸入器のピストンの概略図である。図９（Ａ）は、ピストンの概略側面図であり、図９（Ｂ）は、図９（Ａ）のＢ−Ｂ線断面図であり、図９（Ｃ）は、図９（Ａ）のＣ−Ｃ線断面図である。
【図１０】図２のインキ吸入器のノブの概略縦断面図である。
【図１１】図２のインキ吸入器のピストンガイドの概略正面図である。
【図１２】図２のインキ吸入器のカバーの概略縦断面図である。
【図１３】図２のインキ吸入器の組み立て方法の一例を説明するための図である。図１３（Ａ）は、インキタンクにグリスを塗布する工程を示す図であり、図１３（Ｂ）は、インキタンクにピストンを挿入する工程を示す図であり、図１３（Ｃ）は、ピストンにピストンガイドを組み付ける工程を示す図であり、図１３（Ｄ）は、ピストンのロッドにノブを螺合させる工程を示す図であり、図１３（Ｅ）は、インキタンクにノブを係合する工程を示す図であり、図１３（Ｆ）は、インキタンクの軸方向後方にカバーを嵌める工程を示す図であり、図１３（Ｇ）は、インキ収容部内に４つの球を配置する工程を示す図であり、図１３（Ｈ）は、インキ収容部内に受け部材を嵌入する工程を示す図である。
【図１４】従来のインキ吸入器の概略縦断面図である。
【図１５】特許文献４に記載されている万年筆の、筆記を行っている状態における軸方向前方の概略縦断面図である。
【発明を実施するための形態】
【００２４】
以下に、添付の図面を参照して本発明の一実施の形態を詳細に説明する。
【００２５】
図１は、本発明の一実施の形態の筆記具（具体的には、万年筆１）の概略縦断面図であり、図２は、図１の万年筆１に使用されているインキ吸入器１００の概略縦断面図であり、図３は、ペン先４が上に向けられた状態における図２のインキ吸入器１００の概略縦断面図であり、図４は、図３のＡ−Ａ線断面図である。
【００２６】
図１に示すように、本発明の一実施の形態の万年筆１は、軸筒２と、軸筒２の前方側に設けられた、ペン先４及び当該ペン先４に至るインキ連通孔５を有するペン先支持部３と、軸筒２内において、ペン先支持部３の後方側に設けられたインキ吸入器１００と、軸筒２内において、ペン先支持部３の後端部から軸方向後方に延出した、切頭扇形の断面形状を有する槍部６と、を備えている。また、本実施の形態のペン先支持部３には、ペン先４の近傍に設けられた開口からインキ収容部１１ｃ内まで軸方向に沿って延びている、空気の通過が可能な空気連通孔８が、更に設けられている。
【００２７】
図１に示すように、本実施の形態では、インキ吸入器１００は、前端領域がペン先支持部３の後方領域に設けられた溝７内に圧入されることによって、当該ペン先支持部３に取外可能に取り付けられている。また、ペン先支持部３の軸方向後方の外周面に設けられた雄ねじ部と軸筒の軸方向前方の内周面に設けられた雌ねじ部とが螺着されることによって、ペン先支持部３に対して軸筒２が固定されている。
【００２８】
また、図１乃至図３に示すように、本実施の形態のインキ吸入器１００は、インキを収容するインキ収容部１１ｃを軸方向前方に規定する筒形のインキタンク１０と、インキ収容部１１ｃの内周面に当該インキ収容部１１ｃの軸方向に摺動可能かつ液密に嵌め込まれたフランジ部２２と、当該フランジ部２２からインキタンク１０の軸方向後方に向かって伸長するロッド２１と、を有するピストン２０と、インキタンク１０の軸方向後方に当該インキタンク１０に対して回転可能に当該インキタンク１０の内側に接続されたノブ３０と、ピストン２０のフランジ部２２よりも軸方向前方において、インキ収容部１００の内部に固定され、槍部６で貫通された状態となっている窓部７１を有する受け部材７０と、インキ収容部１１ｃの内部において、ピストン２０のフランジ部２２と受け部材７０との間に配置され、窓部７１を通過できない大きさであって且つ当該窓部７１を貫通している槍部６と当接可能な大きさの４つの球６０と、を有している。
【００２９】
本実施の形態の４つの球６０は、いずれも直径２ｍｍのステンレス（ＳＵＳ３０４）製の真球であり、総重量が０．１２ｇである。４つの球６０は、いずれもピストン２０のフランジ部２２と受け部材７０との間を自由に移動可能となっている。
【００３０】
図３及び図４に示すように、本実施の形態の４つの球６０は、万年筆１のペン先４が上に向けられた状態において、ピストン２０のフランジ部２２の軸方向前方に形成された受け皿状の空間内に隙間無く配置され得るようになっている。
【００３１】
次に、図５は、図２のインキ吸入器１００の受け部材７０の概略図である。図５（Ａ）は、受け部材７０の概略斜視図であり、図５（Ｂ）は、図５（Ａ）の受け部材７０を右手前方向から見た場合の概略縦断面図であり、図５（Ｃ）は、図５（Ａ）の受け部材７０を上方から見た図であり、部分的に断面図で示されている。
【００３２】
図５（Ａ）乃至図５（Ｃ）に示すように、本実施の形態の受け部材７０は、環状部７２と、当該環状部７２の前端部（図５（Ａ）における左下端部、図５（Ｂ）及び図５（Ｃ）における左端部）から径方向内側に互いに対向するように延びる１対の第１支持部７３ａ、７３ｂと、この１対の第１支持部７３ａ、７３ｂの径方向内側の端部からインキ収容部１１ｃの軸線と平行に前方に延びる１対の第２支持部７４ａ、７４ｂと、を有している。当該１対の第２支持部７４ａ、７４ｂの前端部には、円盤部７５が固定されている。また、環状部７２の外周面には、当該環状部７２を１周する突起７６が形成されている。この突起７６は、受け部材７０をインキ収容部１１ｃ内に嵌入する際に、当該インキ収容部１１ｃの内周面に食い込んで、当該内周面に対して受け部材７０を固定するようになっている。
【００３３】
本実施の形態の受け部材７０は、ステンレス（ＳＵＳ３０３）製である。環状部７２は、内径が４．９ｍｍ、外径が５．４７ｍｍ、軸方向の長さが１．６ｍｍである。また、突起７６は、環状部７２の後端部（図５（Ａ）における右上の端部、図５（Ｂ）及び図５（Ｃ）における右端部）からの距離が０．８ｍｍから１．１ｍｍまでの０．３ｍｍの領域内に設けられている。突起７６の外径の最大値は５．５９ｍｍである。
【００３４】
図５（Ｃ）に示すように、受け部材７０の１対の第１支持部７３ａ、７３ｂは、いずれも幅が１ｍｍであり、環状部７２の前端部から軸線（図５（Ｃ）における一点鎖線）に対して垂直に延びている。各第１支持部７３ａ、７３ｂは、径方向内側の端部が、軸線と同心の直径２．３ｍｍの円弧の一部に相当する形状を有している。また、受け部材７０の１対の第２支持部７４ａ、７４ｂは、いずれも幅が１ｍｍであり、軸線と同心の内径２．３ｍｍ、外径２．９ｍｍの円筒の一部に相当する形状を有している。
【００３５】
円盤部７５は、厚さが０．６ｍｍ、後端部の直径が２．９ｍｍである。図５（Ａ）乃至図５（Ｃ）に示すように、本実施の形態の円盤部７５は、前方に向かうに従って次第に先細りとなるように形成されており、前端部の直径は２．４ｍｍである。また、図５（Ｂ）及び図５（Ｃ）に示すように、この円盤部７５の軸方向後方の面には、深さ０．３ｍｍのすり鉢状の凹部が形成されている。
【００３６】
以上のような構成により、図５（Ｂ）に示すように、本実施の形態の受け部材７０は、環状部７２の前端部と円盤部７５の後端部との間の離間距離ｄ１が２ｍｍであり、環状部７２の内周面と円盤部７５の後端部の外縁部との間の径方向の離間距離ｄ２が１ｍｍであるように形成されている。
【００３７】
図１に戻って、本実施の形態では、以上のような受け部材７０がインキ収容部１１ｃ内に嵌入された状態において、受け部材７０の円盤部７５の周縁部とインキ収容部１１ｃの内周面との間に幅１．２８５ｍｍの円環状の窓部７１が形成されている。そして、図１に示すように、窓部７１は、槍部６によって貫通されている。
【００３８】
次に、図６は、筆記状態における図２のインキ吸入器１００の概略縦断面図である。図６に示すように、筆記状態においては、受け部材７０の円盤部７５とインキタンク１０の内周面との間に形成されている窓部７１の近傍まで、４つの球６０が移動している。前述の通り、本実施の形態の４つの球６０は、いずれも直径が２ｍｍである。この直径は、受け部材７０の環状部７２の前端部と円盤部７５の後端部との間の離間距離ｄ１に等しいため、当該環状部７２と当該円盤部７５との間に、受け部材７０近傍に移動した球６０が入り込むことができる。更に、窓部７１を貫通している槍部６は、中心角が略１８０°の切頭扇形の断面形状を有している。このため、図６に示すように、受け部材７０近傍（窓部７１近傍）まで移動した４つの球６０のうちの少なくとも１つが、確実に槍部６と当接するようになっている。このことにより、４つの球６０と共に軸方向前方まで移動したインキが、槍部６を伝って確実にペン先４に供給されるようになっている。
【００３９】
ここで、受け部材７０の１対の第１支持部７３ａ、７３ｂ及び１対の第２支持部７４ａ、７４ｂのそれぞれの幅、４つの球６０の直径、及び、受け部材７０が嵌入されている位置におけるインキ収容部１１ｃの内径、の各寸法が特定の関係を満たす場合、受け部材７０の１対の第１支持部７３ａ、７３ｂ及び／または１対の第２支持部７４ａ、７４ｂの側部とインキ収容部１１ｃの内周面との間に、２つの球６０がぴったりと嵌り込んでしまい、万年筆１を筆記状態からペン先４が上に向けられた状態へと姿勢変化させても当該２つの球６０が軸方向後方へ移動しない、という事態が生じ得る。
【００４０】
図７は、２つの球６０が、図２のインキ吸入器１００の受け部材７０とインキ収容部１１ｃの内周面との間にぴったりと嵌り込んだ状態を示す模式図である。図７（Ａ）は、１対の第１支持部７３ａ、７３ｂの側部とインキ収容部１１ｃの内周面との間に２つの球６０がぴったりと嵌り込んだ状態を示しており、図７（Ｂ）は、１対の第１支持部７３ａ、７３ｂの側部と環状部７２の前端部とインキ収容部１１ｃの内周面との間に２つの球６０がぴったりと嵌り込んだ状態を示している。
【００４１】
例えば、図７（Ａ）に示すように、受け部材７０の１対の第１支持部７３ａ、７３ｂの側部とインキ収容部１１ｃの内周面との間に、２つの球６０がぴったりと嵌り込む場合には、球６０の中心を通りインキ収容部１１ｃの軸線に垂直な平面における断面において、軸線の位置をＯ、一方の球６０の中心をＯ’、２つの球６０の接点をＨとし、受け部材７０の１対の第１支持部７３ａ、７３ｂ及び１対の第２支持部７４ａ、７４ｂの幅を２ｗ、各球６０の直径を２ｒ、受け部材７０が嵌入されている位置におけるインキ収容部１１ｃの内径を２Ｒとすると、三角形ＯＯ’Ｈは、各辺の長さがＯＯ’＝Ｒ−ｒ、ＯＨ＝ｒ＋ｗ、Ｏ’Ｈ＝ｒであり、∠ＯＨＯ’＝９０°である直角三角形である。すなわち、三平方の定理により、Ｒ、ｒ及びｗの間に以下の関係が成立する。
【数１】
0006621622.tif 000002
これをｗについて解くと、以下の式が得られる。
【数２】
0006621622.tif 000003
【００４２】
すなわち、以上の関係が成立しないようなＲ、ｒ及びｗの値を採用することにより、受け部材７０の１対の第１支持部７３ａ、７３ｂの側部とインキ収容部１１ｃの内周面との間に２つの球６０がぴったりと嵌り込んでしまう、という事態を回避することができる。
【００４３】
但し、前記式を充足しない場合であっても、受け部材７０の１対の第２支持部７４ａ、７４ｂの長さ、及び、受け部材７０の環状部７２の内径、によっては、図７（Ｂ）に示すように、受け部材７０の１対の第１支持部７３ａ、７３ｂの側部及び１対の第２支持部７４ａ、７４ｂの側部とインキ収容部１１ｃの内周面との間に２つの球６０が順次移動してきた際に、２つ目の球６０（図７（Ｂ）における左手前側の球６０）が、１つ目の球６０（図７（Ｂ）における右奥側の球６０）、第１支持部７３ａ（または７３ｂ）、及び、環状部７２の前端部、の３箇所で支持される場合がある。この場合にも、万年筆１を筆記状態からペン先４が上に向けられた状態へと姿勢変化させても、当該２つの球６０が軸方向後方へ移動しないという事態が生じ得る。このような事態を回避するためには、１対の第２支持部材７４ａ、７４ｂの長さや球６０の直径等を適宜調整し、当該球６０が前記３箇所で支持されないような寸法を採用する必要がある。
【００４４】
本実施の形態において採用されている受け部材７０の各構成要素の寸法、インキ収容部１１ｃの内径、及び、４つの球６０の直径は、以上の考察に基づいて決定されている。このため、受け部材７０近傍まで移動した４つの球６０のいずれもが、受け部材６０の窓部７１の近傍にぴったりと嵌り込んでしまうことが無い。すなわち、万年筆１が、筆記状態からペン先４が上に向けられた状態へと姿勢変化された際に、４つの球６０の全てが受け部材７０近傍から軸方向後方へとスムーズに移動するようになっている。
【００４５】
次に、本実施の形態のインキ吸入器１００の他の構成部品について詳細に説明する。
【００４６】
図８は、図２のインキ吸入器１００のインキタンク１０の概略図である。図８（Ａ）は、インキタンク１０の概略縦断面図であり、図８（Ｂ）は、図８（Ａ）の右方向から見たインキタンク１０の概略正面図であり、図８（Ｃ）は、図８（Ａ）のＣ−Ｃ線断面図である。
【００４７】
図８（Ａ）に示すように、インキタンク１０には、その軸方向後方にスリーブ部１２が形成されている。インキタンク１０の全長は４９．６ｍｍであり、その軸方向前方の３４．９ｍｍの領域に内径５．５２ｍｍ、外径７．２ｍｍの円筒状部１１によってインキ収容部１１ｃが規定されている。円筒状部１１の軸方向後方には１４．２ｍｍの長さを有するスリーブ部１２が連続している。スリーブ部１２の内径は４．９ｍｍである。また、スリーブ部１２の外側表面上には、高摩擦部１３が設けられている。具体的には、本実施の形態の高摩擦部１３は、インキタンク１０の軸方向に略等間隔で５カ所に設けられた、インキタンク１０の周方向に延在する突条１４として設けられている。円筒状部１１の内周面とスリーブ部１２の内周面とは、テーパ推移部１１ｔを介して連続している。
【００４８】
また、インキタンク１０の軸方向後方に位置するスリーブ部１２の内周面上には、図８（Ｂ）に示すように、その上方側及び下方側のそれぞれに、軸方向に沿って所定高さだけ隆起した隆起部１９ａ、１９ｂが設けられている。但し、当該隆起部１９ａ、１９ｂは、図８（Ａ）に示す上方切り欠き１６ａ及び下方切り欠き１６ｂによって、軸方向の一部において中断されている。上方切り欠き１６ａ及び下方切り欠き１６ｂは、それぞれ軸方向長さが１．１５ｍｍであり、図８（Ｃ）に示すように、高さｈ＝１．２２５ｍｍ分だけ切り欠かれるように形成されている。
【００４９】
また、図８（Ａ）及び図８（Ｂ）に示すように、インキタンク１０の軸方後方に位置するスリーブ部１２の内周面の左右２カ所には、溝部１７が設けられている。本実施の形態の溝部１７は、それぞれ、幅１．１ｍｍ、幅方向中央の深さ０．２２５ｍｍのコ字状の断面を有しており、スリーブ部１２の軸方向後方の端部に１４．２ｍｍの長さで形成されている。
【００５０】
また、スリーブ部１２の軸方向の一部には、図８（Ａ）に示すように、スリーブ部１２の外側表面の上下２カ所において軸方向後方の端部から３．４ｍｍの位置を中心として軸方向に０．５ｍｍの幅を有する突部１５が、周方向に１２０°に亘るように形成されている。
【００５１】
更に、図８（Ｂ）に示すように、スリーブ部１２の軸方向後方の端部には、左右２カ所においてそれぞれ長さ３．３５ｍｍで幅０．７ｍｍの切り込み１８が設けられていて、拡径可能となっている。
【００５２】
図９は、図３のインキ吸入器１００のピストン２０の概略図であり、図９（Ａ）は、ピストン２０の概略側面図であり、図９（Ｂ）は、図９（Ａ）のピストン２０のＢ−Ｂ線断面図であり、図９（Ｃ）は、図９（Ａ）のピストン２０のＣ−Ｃ線断面図である。
【００５３】
図９（Ａ）に示されるように、ピストン２０のロッド２１には、少なくとも一部の側面に、雄ネジ部２３ｓが形成されている。本実施の形態では、図９（Ｂ）に示すように、ロッド２１の全体が、円柱形状をその軸線方向に平行で且つ互いに平行に対向する２つの平面で同一の深さに面取りした形状の断面、すなわち、長方形の対向する２つの短辺を円弧状に張り出させた形状の断面、を有する被ガイド部２３として形成されている。そして、被ガイド部２３の円弧状に張り出した領域の、軸方向について大部分に、雄ネジ部２３ｓが形成されている。
【００５４】
本実施の形態では、ピストンの全長は２６．２ｍｍであり、フランジ部２２の長さが２．４ｍｍであり、ロッド２１の長さが２３．８ｍｍである。また、フランジ部２２の直径は５．５９ｍｍである。また、ロッド２１（被ガイド部２３）の雄ネジ部２３ｓは、外径が３．１ｍｍ、谷径が２．５ｍｍ、有効径が２．７５ｍｍであり、被ガイド部２３の厚さ（被ガイド部２３の対向する２つの平面間の距離）は、１．７ｍｍである。
【００５５】
更に、本実施の形態では、図９（Ｃ）に示すように、被ガイド部２３の軸方向後方において、面取りされた２つの平面上に張出部２４が形成されている。当該張出部２４は、雄ネジ部２３ｓの谷径と略同一の直径を有している。
【００５６】
図１０は、図２のインキ吸入器１００のノブ３０の概略縦断面図である。ノブ３０の少なくとも前方領域は、雌ネジ部３０ｓを有する中空筒状である。本実施の形態では、図１０に示すように、ノブ３０の軸方向前方の端部は開放しているが、軸方向後方の端部は閉じており、内周面全体に雌ネジ部３０ｓが形成されている。そして、ノブ３０の雌ネジ部３０ｓは、ロッド２１の雄ネジ部２３ｓと互いに螺合するようになっている。本実施の形態では、ノブ３０の全長は２２．８ｍｍであり、雌ネジ部３０ｓの長さは２１．３ｍｍである。また、ノブ３０の軸方向後方に、使用者が当該ノブ３０を回転操作する際に把持するための、断面が略正八角形で軸方向後方に向かってやや先細りとされた、長さ９．１ｍｍの把持部が、設けられている。
【００５７】
本実施の形態のノブ３０は、図１０に示すように、当該ノブ３０の軸方向前方から１０．２ｍｍの位置を中心として軸方向に１ｍｍの幅を有する膨出部３１が、周方向に高さ０．３２５ｍｍだけ膨出するように形成されている。膨出部３１の軸方向前方側は、テーパ状に面取りされている。この膨出部３１は、スリーブ部１２の上方切り欠き１６ａ及び下方切り欠き１６ｂに回転可能に係合されるようになっている。
【００５８】
そして、上方切り欠き１６ａ及び下方切り欠き１６ｂとノブ３０の膨出部３１とは、切り込み１８の存在によってスリーブ部１２の軸方向後方の端部を一時的に拡径させることで、係合されるようになっている。
【００５９】
図１１は、図１のインキ吸入器１００のピストンガイド４０の概略正面図である。本実施の形態のピストンガイド４０は、図１１に示すように、Ｕ字状の断面を有していると共に、当該Ｕ字状断面における１対の脚部４２に、対向する互いに平行な２つの平面であるガイド部４１が形成されている。本実施の形態では、ピストンガイド４０の厚み（軸方向の長さ）は、１．５ｍｍであり、Ｕ字状の断面における１対の脚部４２の外周は、直径４．７５ｍｍの円弧の一部を形成している。更に、ピストンガイド４０のＵ字状の断面における１対の脚部４２の端部４２ｅ間の離間距離は、１．６ｍｍであり、ガイド部４１の２つの平面の離間距離の１．８５ｍｍよりも小さくなっている。
【００６０】
また、図１１に示すように、ピストンガイド４０の軸方向の左右２カ所の外周面には、突起４３が軸方向全体に亘って設けられている。本実施の形態の突起４３は、それぞれ、幅１ｍｍ、幅方向中央の高さ０．２７５ｍｍに形成されており、インキタンク１０のスリーブ部１２の内周面の左右２カ所に設けられた溝部１７と係合するようになっている。
【００６１】
本実施の形態のピストンガイド４０は、図２に示すように、スリーブ部１２に内嵌されており、ロッド２１の被ガイド部２３を軸方向に摺動させるようになっている。そして、ロッド２１の被ガイド部２３の軸方向後方に形成された張出部２４（図９（Ｃ）参照）は、当該軸方向に見てガイド部４１（脚部４２の対向する互いに平行な２つの平面）の少なくとも一部と重なるようになっている。
【００６２】
図１２は、図１のインキ吸入器１００のカバー５０の概略縦断面図である。図１２に示すように、カバー５０は、軸方向の長さが４．２ｍｍであり、内径が６．２３５ｍｍであり、外径が６．７４５ｍｍである円筒形状を有している。また、図１２に示すように、カバー５０の内周面には、当該カバー５０の軸方向の両端部からそれぞれ０．６ｍｍの位置を中心として軸方向に０．６ｍｍの幅を有する凹条５１が形成されている。
【００６３】
次に、図１３を参照して、本発明の一実施の形態のインキ吸入器の組み立て方法の一例について説明する。図１３（Ａ）は、インキタンクにグリスを塗布する工程を示す図であり、図１３（Ｂ）は、インキタンクにピストンを挿入する工程を示す図であり、図１３（Ｃ）は、ピストンにピストンガイドを組み付ける工程を示す図であり、図１３（Ｄ）は、ピストンのロッドにノブを螺合させる工程を示す図であり、図１３（Ｅ）は、インキタンクにノブを係合する工程を示す図であり、図１３（Ｆ）は、インキタンクの軸方向後方にカバーを嵌める工程を示す図であり、図１３（Ｇ）は、インキタンク内に４つの球を配置する工程を示す図であり、図１３（Ｈ）は、インキタンク内に受け部材を嵌入する工程を示す図である。
【００６４】
まず、図１３（Ａ）に示すように、インキタンク１０のインキ収容部１１ｃの内周面全体に、フランジ部２２の摺動を円滑にするためのグリスが、適宜の塗布具Ｔを用いて、塗布される。更に、図示されていないが、ピストン２０の雄ネジ部２３ｓを含む被ガイド部２３に、雄ネジ部２３ｓを含む被ガイド部２３の摺動等を円滑にするためのグリスが塗布される。
【００６５】
次に、図１３（Ｂ）に示すように、ピストン２０のフランジ部２２が軸方向前方（図１３（Ｂ）の左側）に位置する向きで、当該ピストン２０がインキタンク１０の軸方向前方（図１３（Ｂ）の左側）からインキタンク１０内に挿入される。
【００６６】
次に、図１３（Ｃ）に示すように、フランジ部２２の前面の形状に対応する先端形状を有する工具（図１３（Ｃ）に破線で示されている）によって、インキタンク１０内に挿入されたピストン２０が、軸方向後方へ更に押し込まれる。これにより、ピストン２０の被ガイド部２３の軸方向後方側の一部が、インキタンク１０のスリーブ部１２の軸方向後方の端部から突出される。
【００６７】
次に、図１３（Ｄ）に示すように、スリーブ部１２の軸方向後方の端部から突出した被ガイド部２３の軸方向後方側の当該一部に、ピストンガイド４０が、当該ピストンガイド４０のＵ字状の断面における１対の脚部４２の端部の側（開放側）から嵌め入れられる。そして、ピストンガイド４０の突起４３とスリーブ部１２の溝部１７とが、両者が係合するように、位置合わせされる。その後、軸方向後方側（図１３（Ｄ）の右側）から、ノブ３０の雌ネジ部３０ｓが被ガイド部２３の雄ネジ部２３ｓにねじ込まれていき、これに伴って、ノブ３０の軸方向前方の端部が、ピストンガイド４０を軸方向前方の所定位置にまでスライド移動させていく。この間、スリーブ部１２の溝部１７が、ピストンガイド４０の突起４３を、軸方向に摺動させていく。
【００６８】
ピストンガイド４０を軸方向前方の所定位置にまでスライド移動させる過程において、図１３（Ｅ）に示すように、ノブ３０の膨出部３１が、スリーブ部１２の隆起部１９ａ、１９ｂに当接する。そして、ノブ３０の雌ネジ部３０ｓを更にねじ込むと、スリーブ部１２の切り込み１８（図１３（Ｂ）参照）の存在により、スリーブ部１２の軸方向後方の端部が拡径して、ノブ３０の膨出部３１のテーパ状の面取り部にスリーブ部１２の隆起部１９ａ、１９ｂが乗り上げる。その後、ノブ３０の雌ネジ部３０ｓを更にねじ込むと、膨出部３１は、スリーブ部１２の上方切り欠き１６ａ及び下方切り欠き１６ｂ（隆起部１９ａ、１９ｂが存在しない領域）と係合する。これにより、スリーブ部１２の軸方向後方の端部は、拡径前の状態に戻る。この時のピストンガイド４０の位置が、前記所定位置となる。
【００６９】
なお、ノブ３０の雌ネジ部３０ｓをねじ込むことでノブ３０をスリーブ部１２に対して相対移動させてノブ３０の膨出部３１とスリーブ部１２の上方切り欠き１６ａ及び下方切り欠き１６ｂとを係合させる代わりに、ノブ３０を単純にスリーブ部１２に対して軸方向に押し込むことでノブ３０をスリーブ部１２に対して相対移動させてノブ３０の膨出部３１とスリーブ部１２の上方切り欠き１６ａ及び下方切り欠き１６ｂとを係合させてもよい。
【００７０】
次に、図１３（Ｆ）に示すように、スリーブ部１２の軸方向後方に、筒状のカバー５０が嵌められる。この時、スリーブ部１２の突部１５とカバー５０の凹条５１とが係合する。前述の通り、カバー５０には、内周面に当該カバー５０の軸方向の両端部から等距離の位置に２つの凹条５１が形成されている。このため、カバー５０を一側からでも他側からでもスリーブ部１２に嵌めることができる。
【００７１】
次に、図１３（Ｇ）に示すように、インキタンク１０の軸線を水平にした状態、または、前端部を後端部よりも上にした状態で、４つの球６０をインキタンク１０の軸方向前方の開口部から挿入し、インキ収容部１１ｃ内に配置する。
【００７２】
次に、図１３（Ｈ）に示すように、適宜の治具を用いて、受け部材７０をインキ収容部１１ｃ内の所定位置まで押し込む。この時、受け部材７０の環状部７２の外周面に設けられた突起７６がインキ収容部１１ｃの内周面に食い込むことにより、当該内周面に対して受け部材７０が固定される。この時、受け部材７０は、環状部７２の後端部がピストン２０のフランジ部２２が軸方向の最も前方に位置した時の当該フランジ部２２の前端部よりも前方であるように、位置決めされる。
【００７３】
次に、本実施の形態のインキ吸入器１００の作用について説明する。
【００７４】
まず、万年筆１の軸筒２を、ペン先支持部３に対して軸線回りに一方向に回転させて当該ペン先支持部３から取り外し、インキ吸入器１００のノブ３０を露出させる。製品によっては、購入時に、ピストン２０がインキタンク１０のインキ収容部１１ｃの軸方向の最も前方に位置した状態にある。そうで無い場合には、ノブ３０を一方向に回転操作して、ノブ３０の雌ネジ部３０ｓを介してピストン２０の雄ネジ部２３ｓを送り出していくことにより、ピストン２０をインキタンク１０のインキ収容部１１ｃの軸方向の最も前方に位置させる。
【００７５】
この回転操作によるピストン２０の雄ネジ部２３ｓの送り出しの際、インキタンク１０のスリーブ部１２の所定位置に内嵌されたピストンガイド４０のガイド部４１が、ピストン２０の被ガイド部２３を軸方向に摺動させる。これにより、当該ピストン２０は、軸線回りに回転することが無い。
【００７６】
また、ノブ３０の回転操作によるピストン２０の雄ネジ部２３ｓの送り出しが続いていくと、ピストン２０の張出部２４がピストンガイド４０に当接する。これにより、それ以後の雄ネジ部２３ｓの送り出しが制限される（ストッパ機能）。これにより、ピストン２０の雄ネジ部２３ｓがノブ３０の雌ネジ部３０ｓから抜けてしまうことが防止される。この時のピストン２０の位置が、当該ピストン２０の軸方向の最も前方の位置である。
【００７７】
前述の通り、本実施の形態の受け部材７０は、ピストン２０が軸方向の最も前方の位置に位置した時のフランジ部２２の位置よりも軸方向前方に配置されているため、当該フランジ部２２が受け部材７０と干渉することが無い。
【００７８】
次に、万年筆１のペン先４をインキ容器内のインキに浸し、その状態でノブ３０を反対方向に回転操作する。これに伴って、インキ収容部１１ｃ内のピストン２０が、当該インキ収容部１１ｃの軸方向後方（図２（Ｂ）の右側）へ移動される。これにより、インキ収容部１１ｃ内に負圧が生じて、インキがインキ容器内からペン先４を介してインキ収容部１１ｃ内に吸入される。ノブ３０を反対方向に更に回転操作していくと、ピストン２０がインキ収容部１１ｃの軸方向の最も後方まで移動される。これにより、インキ収容部１１ｃ内の略全体へのインキの吸入が完了する。そして、軸筒２がペン先支持部３に対して軸線回りに他方向に回転されることにより、ペン先支持部３に軸筒２が再び取り付けられる（螺着される）。
【００７９】
以上のようにしてインキ吸入器１００内にインキが吸入された万年筆１は、筆記が行われていない時には、通常、ペン先４が上に向けられた状態で保管されている。そして、この万年筆１を用いて筆記を行う際には、当該万年筆１のキャップが取り外され、ペン先４が上に向けられた状態から下に向けられた状態へと姿勢変化される。この時、本実施の形態の万年筆１においては、インキ収容部１１ｃの軸方向後方に位置していた４つの球６０が軸方向前方（下方）に移動し、インキの表面張力に打ち克って、受け部材７０の窓部７１近傍まで移動する。この際、インキ収容部１１ｃ内の軸方向後方に位置していたインキも４つの球６０と共に移動する。本実施の形態では、ペン先支持部３の槍部６が受け部材７０の窓部７１を貫通しているので、軸方向前方へと移動した４つの球６０のうちの少なくとも１つは、槍部６に当接する（図６参照）。結果として、４つの球６０と共に移動したインキは、槍部６に導かれる。
【００８０】
槍部６に導かれたインキは、当該槍部６を伝ってペン先支持部３の後端部へと導かれ、更に、毛管現象によりインキ連通孔５を通じてペン先４まで導かれる。この時、インキ収容部１１ｃ内のインキの減少により、当該インキ収容部１１ｃ内に負圧が生じる。このため、図６に示すように、外部の空気が、空気連通孔８を通じて、気泡となってインキ収容部１１ｃ内に導入される。本実施の形態では、４つの球６０の直径がいずれも２ｍｍであり、インキ収容部１１ｃの内径が５．５２ｍｍであるため、球６０とインキ収容部１１ｃの内周面との間に前記気泡が通過するのに十分な空間が確保されている。このため、軸方向前方（受け部材７０近傍）まで移動した４つの球６０によって、前記気泡の上昇が妨げられることが無い。すなわち、空気とインキとのスムーズな交替が実現される。
【００８１】
万年筆１による筆記が終了すると、例えば当該万年筆１にキャップが再び取り付けられた後で、ペン先４が下に向けられた状態から上に向けられた状態へと姿勢変化される。前述の通り、本実施の形態の受け部材７０は、当該受け部材７０とインキ収容部１１ｃの内周面との間に球６０がぴったりと嵌り込むことが無いような形状となっている。このため、４つの球６０は、受け部材７０近傍からインキ収容部１１ｃの軸方向後方へとスムーズに移動する。そして、ピストン２０のフランジ部２２の受け皿状の空間内に位置付けられる（図３及び図４参照）。
【００８２】
以上のような本実施の形態の万年筆１によれば、受け部材７０によって４つの球６０の落下がより確実に防止されており、且つ、ペン先支持部３の後端部から軸方向後方に延出している槍部６が、受け部材７０に設けられた窓部７１を貫通しているため、軸方向前方の受け部材７０まで（あるいは受け部材７０近傍まで）移動した球６０と槍部６とがより確実に当接し、結果としてインキをより確実に槍部６に導くことができる。また、球６０は、筒形の移動体よりも製造コストが低いため、万年筆１の製造コストを低減させることができる。
【００８３】
また、本実施の形態のインキ吸入器に採用されている受け部材７０は、円盤部７５を支持する支持部材として、インキ収容部１１ｃの内周面上の対向する位置から当該インキ収容部１１ｃの径方向内側に延びる１対の第１支持部７３ａ、７３ｂと、１対の第１支持部７３ａ、７３ｂの径方向内側の端部からインキ収容部１１ｃの軸方向前方に延びる１対の第２支持部７４ａ、７４ｂと、を有しており、円盤部７５は、１対の第２支持部の前端部に固定されている。このことにより、インキ吸入器１００をペン先支持部３に取り付ける際の、支持部材と槍部６との干渉を回避することが容易である。
【００８４】
なお、本実施の形態では、移動体として４つの球６０が採用されているが、例えば２つないし３つの球、あるいは、５つ以上の球を採用することも可能である。
【００８５】
また、前述の通り、ペン先支持部３の後端部から軸方向後方に延出している槍部６が、中心角が略１８０°の切頭扇形の断面形状を有しており、且つ、受け部材７０に設けられた窓部７１を貫通している。このことにより、移動体として採用し得る形状の自由度が高められているため、例えば四面体や立方体などの球以外の形状の移動体を採用することも可能である。
【符号の説明】
【００８６】
１  万年筆
２  軸筒
３  ペン先支持部
４  ペン先
５  インキ連通孔
６  槍部
７  溝
８  空気連通孔
１０  インキタンク
１１  円筒状部
１１ｃ  インキ収容部
１１ｔ  テーパ推移部
１２  スリーブ部
１３  高摩擦部
１４  突条
１５  突部
１６ａ  上方切り欠き
１６ｂ  下方切り欠き
１７  溝部
１８  切り込み
１９ａ、１９ｂ  隆起部
２０  ピストン
２１  ロッド
２２  フランジ部
２３  被ガイド部
２３ｓ  雄ネジ部
２４  張出部
３０  ノブ
３０ｓ  雌ネジ部
３１  膨出部
４０  ピストンガイド
４１  ガイド部
４２  脚部
４２ｅ  脚部の端部
４３  突起
５０  カバー
５１  凹条
６０  球
７０  受け部材
７１  窓部
７２  環状部
７３ａ、７３ｂ  １対の第１支持部
７４ａ、７４ｂ  １対の第２支持部
７５  円盤部
７６  突起
１００  インキ吸入器
【図１】
0006621622.tif 000004
【図２】
0006621622.tif 000005
【図３】
0006621622.tif 000006
【図４】
0006621622.tif 000007
【図５】
0006621622.tif 000008
【図６】
0006621622.tif 000009
【図７】
0006621622.tif 000010
【図８】
0006621622.tif 000011
【図９】
0006621622.tif 000012
【図１０】
0006621622.tif 000013
【図１１】
0006621622.tif 000014
【図１２】
0006621622.tif 000015
【図１３−１】
0006621622.tif 000016
【図１３−２】
0006621622.tif 000017
【図１３−３】
0006621622.tif 000018
【図１４】
0006621622.tif 000019
【図１５】
0006621622.tif 000020